(57)【要約】【課題】居室内に独立空間である居室空間が設けられた住宅であって、家族構成に対応して間取りを選択することができ、居室空間の周囲を有効に活用できる住宅の提供。【解決手段】居室空間６が二つの場合、一方の居室空間６は、居室３の壁部２と間隔をあけて囲繞空間５に隣接して配置されると共に、一方の居室空間６の出入口４５が囲繞空間５とは逆側の位置となるように配置され、他方の居室空間６は、一方の居室空間６の囲繞空間５とは逆側の位置に、一方の居室空間６とは間隔をあけつつ、一方の居室空間６の出入口４５と対向しないようにずれて配置されると共に、一方の居室空間６の出入口４５が開口する居室内スペース７６に、他方の居室空間６の出入口４５が開口して配置される。居室空間６が一つの場合、居室空間６は、囲繞空間５と間隔をあけて配置されると共に、居室空間６の囲繞空間５とは逆側の壁部２との間に間隔をあけて配置される。【選択図】図１
2020122363.tif 000002
【特許請求の範囲】
【請求項１】
壁部に囲まれた居室と、
前記居室に隣接して配置され、前記壁部に形成された出入口を介して前記居室と行き来可能とされる水回りと、
側壁部で仕切られて前記居室内に配置され、前記側壁部に形成された出入口を介して前記居室と行き来可能とされる囲繞空間と、
複数の側壁材で囲まれる空間であって、前記居室の床部に形成された被係合部に着脱可能に係合される係合部が前記側壁材の下端部に形成され、前記係合部が前記被係合部に係合した状態で前記居室内に配置され、前記側壁材に形成された出入口を介して前記居室と行き来可能とされる居室空間とを備え、
前記囲繞空間は、周囲の前記壁部と間隔をあけた状態で、前記側壁部の出入口が前記壁部の出入口と対向するようにして、前記居室内に配置され、
前記居室の床部には、二つの前記居室空間が前記居室内に配置される場合と、一つの前記居室空間が前記居室内に配置される場合とにできるように、前記被係合部が形成されており、
前記居室空間が二つの場合、一方の居室空間は、周囲の前記壁部と間隔をあけた状態で、前記囲繞空間に隣接して配置されると共に、前記一方の居室空間の出入口が前記囲繞空間とは逆側の位置となるように配置され、他方の居室空間は、前記一方の居室空間の前記囲繞空間とは逆側の位置に、前記一方の居室空間とは間隔をあけつつ、前記一方の居室空間の出入口と対向しないようにずれて配置されると共に、前記一方の居室空間の出入口が開口する前記壁部との間隔に、他方の居室空間の出入口が開口して配置され、
前記居室空間が一つの場合、一つの居室空間は、前記囲繞空間と間隔をあけて配置されると共に、前記一つの居室空間の前記囲繞空間とは逆側の前記壁部との間に間隔をあけて配置される
ことを特徴とする住宅。
【請求項２】
前記囲繞空間の前記側壁部は、複数の側壁部材から構成され、
前記側壁部材の下端部には、前記居室の床部に形成された囲繞空間用被係合部に着脱可能に係合する囲繞空間用係合部が形成され、
前記囲繞空間は、前記囲繞空間用係合部が前記囲繞空間用被係合部に係合することで前記居室内に配置される
ことを特徴とする請求項１に記載の住宅。
【請求項３】
前記居室空間の前記側壁材の高さおよび前記囲繞空間の前記側壁部材の高さは、前記居室の床面と天井面との間の長さよりも小さく形成されている
ことを特徴とする請求項２に記載の住宅。
【発明の詳細な説明】
【技術分野】
【０００１】
本発明は、家族の構成に対応した間取りを選択することができる住宅に関するものである。
【背景技術】
【０００２】
下記特許文献１には、一定の寸法で一定の枚数のパネル材と特殊接続金具とを使用して簡単に脱着可能に組み立てられる箱型パネル構造体が開示されている。この箱型パネル構造体は、仕切り部の存在しないフロアーに設置することで、内部空間を子供部屋などの独立した空間として使用することができる。
【先行技術文献】
【特許文献】
【０００３】
【特許文献１】特許第５９７０６３７号公報
【発明の概要】
【発明が解決しようとする課題】
【０００４】
しかしながら、単にフロアー内に構造体を設置して間取りを形成するだけでなく、構造体の設置場所を適宜に設定することで、家族の構成に対応した間取りを選択できることが望まれている。たとえば、子供の成長に対応して間取りを変更できることが考えられる。この場合、子供が個室を要望した際には個室を設けることができ、その個室が必要なくなった場合には撤去できればよい。しかも、フロアーの構造体が設置された箇所以外のスペースを有効に活用できることも望まれている。
【０００５】
本発明は、このような問題に鑑みてなされたものであり、その主たる目的は、居室内に独立した空間である居室空間が設けられた住宅であって、家族構成に対応して間取りを選択することができ、居室空間の周囲を有効に活用することができる住宅を提供することにある。
【課題を解決するための手段】
【０００６】
上記目的を達成するための本発明に係る住宅は、壁部に囲まれた居室と、前記居室に隣接して配置され、前記壁部に形成された出入口を介して前記居室と行き来可能とされる水回りと、側壁部で仕切られて前記居室内に配置され、前記側壁部に形成された出入口を介して前記居室と行き来可能とされる囲繞空間と、複数の側壁材で囲まれる空間であって、前記居室の床部に形成された被係合部に着脱可能に係合される係合部が前記側壁材の下端部に形成され、前記係合部が前記被係合部に係合した状態で前記居室内に配置され、前記側壁材に形成された出入口を介して前記居室と行き来可能とされる居室空間とを備え、前記囲繞空間は、周囲の前記壁部と間隔をあけた状態で、前記側壁部の出入口が前記壁部の出入口と対向するようにして、前記居室内に配置され、前記居室の床部には、二つの前記居室空間が前記居室内に配置される場合と、一つの前記居室空間が前記居室内に配置される場合とにできるように、前記被係合部が形成されており、前記居室空間が二つの場合、一方の居室空間は、周囲の前記壁部と間隔をあけた状態で、前記囲繞空間に隣接して配置されると共に、前記一方の居室空間の出入口が前記囲繞空間とは逆側の位置となるように配置され、他方の居室空間は、前記一方の居室空間の前記囲繞空間とは逆側の位置に、前記一方の居室空間とは間隔をあけつつ、前記一方の居室空間の出入口と対向しないようにずれて配置されると共に、前記一方の居室空間の出入口が開口する前記壁部との間隔に、他方の居室空間の出入口が開口して配置され、前記居室空間が一つの場合、一つの居室空間は、前記囲繞空間と間隔をあけて配置されると共に、前記一つの居室空間の前記囲繞空間とは逆側の前記壁部との間に間隔をあけて配置されることを特徴とする。
【０００７】
また、本発明に係る住宅は、前記囲繞空間の前記側壁部は、複数の側壁部材から構成され、前記側壁部材の下端部には、前記居室の床部に形成された囲繞空間用被係合部に着脱可能に係合する囲繞空間用係合部が形成され、前記囲繞空間は、前記囲繞空間用係合部が前記囲繞空間用被係合部に係合することで前記居室内に配置されることを特徴とする。
【０００８】
さらに、本発明に係る住宅は、前記居室空間の前記側壁材の高さおよび前記囲繞空間の前記側壁部材の高さは、前記居室の床面と天井面との間の長さよりも小さく形成されていることを特徴とする。
【発明の効果】
【０００９】
本発明に係る住宅によれば、壁部に囲まれた居室内に囲繞空間と居室空間とが配置される。囲繞空間は、側壁部で仕切られた空間であって、側壁部に居室との間を行き来可能とする出入口が形成されている。また、囲繞空間は、居室に隣接して配置される水回りに対応して配置される。この際、水回りと居室との間の出入口と囲繞空間の出入口とが対向される。一方、居室空間は、複数の側壁材で囲まれる空間であって、側壁材の下端部に、居室の床部に形成される被係合部に着脱可能に係合される係合部が形成されている。ここで、被係合部は、居室空間が二つの場合と一つの場合とにできるように、居室の床部に形成されている。居室空間が二つの場合、囲繞空間に隣接して一方の居室空間が配置され、一方の居室空間の囲繞空間とは逆側に、一方の居室空間とは間隔をあけつつ、一方の居室空間の出入口と対向しないようにずれて他方の居室空間が配置される。この際、一方の居室空間の出入口と他方の居室空間の出入口とは、居室内の同一のスペースに向けて開口される。一方、居室空間が一つの場合、居室空間は、囲繞空間と間隔をあけて配置されると共に、囲繞空間と逆側において、壁部と間隔をあけて配置される。
【００１０】
このようにして、居室内に設けられる居室空間が二つの場合と一つの場合とに選択することができるので、二人の子供が個室を望んだ場合には居室空間が二つの間取りとし、子供が独立して家を出た場合や子供が小さい場合には居室空間が一つの間取りとすればよい。子供が独立した際には、居室空間は、たとえば書斎として利用することができる。また、居室内には囲繞空間が配置されるので、居室空間の周囲の一部をウォークインクローゼットとして利用することができる。この際、囲繞空間は、前述したように水回りに対応して配置されるので、たとえば、水回りが洗面室の場合、洗濯および乾燥させた衣服を囲繞空間に収納する際の動線を短くすることができる。また、居室空間が二つの場合、二つの居室空間の間の間隔、および、一方の居室空間と他方の居室空間がずらされた方向の壁部との間の間隔を連続させた略Ｌ字形状の間隔に、たとえばハンガーラックを設置することができる。また、居室空間が二つの場合、両居室空間の出入口がそれぞれ、同一の居室内スペースに開口しているので、そのスペースと各個室とを連続した一つの空間とすることができる。さらに、子供が小さい時期に居室空間が一つの間取りとした場合、居室空間と壁部との間の間隔に机を設けることで、子供が勉強する際のスペースとして利用することができる。
【００１１】
また、本発明に係る住宅によれば、囲繞空間が複数の側壁部材から構成され、その側壁部材の下端部に、居室の床部に形成された囲繞空間用被係合部に着脱可能に係合される係合部が形成されている。従って、囲繞空間を組み立てて容易に設置することができる。
【００１２】
さらに、本発明に係る住宅によれば、居室空間の側壁材の高さおよび囲繞空間の側壁部材の高さは、居室の床面と天井面との間の長さよりも小さく形成されている。すなわち、居室空間の高さおよび囲繞空間の高さが居室の室内高さよりも小さく形成されているので、室内高さと同一の間仕切り壁で区画する従来の場合と比較して、住宅内部を広く見せることができる。
【図面の簡単な説明】
【００１３】
【図１】本発明の住宅の二階の構成を示す間取り図であり、（ａ）は二人の子供の個室がある場合の間取り、（ｂ）は子供が独立した場合か子供が小さい場合の間取りを示している。
【図２】図１の囲繞空間を示す概略斜視図である。
【図３】図１の居室空間を示す概略斜視図である。
【図４】図１の居室空間の側壁材同士の接続構造を示す概略正面図であり、一部を断面にして示している。
【図５】図１の居室空間の側壁材同士の接続構造を示す概略平面図であり、一部を断面にして示している。
【図６】図４および図５の接続構造において用いられる接続金具を示す概略斜視図である。
【図７】図１の居室空間の側壁材の下端部の床部への接続構造を示す概略分解斜視図である。
【図８】本発明の住宅の他の実施例を示す間取り図である。
【発明を実施するための形態】
【００１４】
以下、本発明の住宅の具体的実施例を図面に基づいて詳細に説明する。
【００１５】
図１は、本発明の住宅の一実施例の二階の構成を示す間取り図であり、（ａ）は二人の子供それぞれの個室がある場合の間取り、（ｂ）は子供が小さい場合または子供が独立した場合の間取りを示している。本実施例の住宅１は、壁部２に囲まれた居室３と、居室３に隣接して配置される水回り４と、居室３内に配置されて居室３と行き来可能とされる囲繞空間５と、居室３内に配置されて居室３と行き来可能とされる居室空間６とを備える。ここでは、本実施例の住宅１は、二階建てとされ、前述した居室３が二階に配置されている。
【００１６】
居室３は、住宅１の奥行方向へ延出する部分と、この部分から住宅１の間口方向一方側へ延出する部分とからなる上面視略Ｌ字形状に形成されている。居室３の周囲の壁部２の内、住宅１の奥行方向へ延出する部分の奥側の壁部７、住宅１の間口方向他方側の壁部８、住宅１の奥行方向手前側の壁部９、および住宅１の間口方向一方側へ延出する部分の、住宅１の間口方向一方側の壁部１０は、住宅外部と居室３との間の壁とされ、それぞれの壁部に窓１１，１２，１３，１４が設けられる。残りの壁部、すなわち、住宅１の奥行方向へ延出する部分の、住宅１の間口方向一方側の壁部１５、および住宅１の間口方向一方側へ延出する部分の、住宅１の奥行方向奥側の壁部１６は、住宅１内において居室３と他の空間とを区画する間仕切り壁とされる。居室３には、住宅１の一階と二階とを接続する階段１７が接続されている。階段１７は、上面視略Ｌ字形状とされ、住宅１の奥行方向奥側であって、住宅１の間口方向他方側の隅部に配置される。この際、階段１７は、住宅１の間口方向へ沿って配置される部分の間口方向一端部が居室３に接続されている。
【００１７】
水回り４は、洗面室、浴室またはキッチンなどが挙げられるが、ここでは洗面室とされる。洗面室４は、上面視略四角形状に形成されており、居室３に隣接して配置される。具体的には、洗面室４は、間口方向他方側の壁部が居室３の奥行方向へ延出する部分の間口方向一方側の壁部１５とされると共に、奥行方向他方側の壁部が居室３の間口方向一方側へ延出する部分の奥行方向奥側の壁部１６とされる。すなわち、洗面室４は、居室３の奥行方向へ延出する部分に隣接されると共に、居室３の間口方向一方側へ延出する部分に隣接される。洗面室４と居室３の奥行方向へ延出する部分との間の壁部１５には、洗面室４と居室３とを互いに行き来可能とする出入口１８が形成されており、この出入口１８には開閉可能な扉１９が設けられる。洗面室４には、住宅１の奥行方向奥側の壁部に窓２０が設けられる。なお、洗面室４内には、洗面台が設置され、洗濯乾燥機が配置される。
【００１８】
洗面室４に隣接して、浴室２１が配置される、浴室２１は、上面視略四角形状に形成されており、洗面室４に隣接して配置されると共に、居室３の間口方向一方側へ延出した部分に隣接して配置される。浴室２１と洗面室４との間の壁部には、互いを行き来可能とする出入口２２が設けられており、この出入口２２には開閉可能な扉２３が設けられる。なお、浴室２１には、住宅１の奥行方向奥側の壁部に窓２４が設けられる。このようにして、本実施例の住宅１の二階は、居室３、洗面室４および浴室２１によって、全体が上面視略四角形状に形成されている。
【００１９】
図２および図３は、本実施例の住宅が備える空間を示す概略斜視図であり、図２は囲繞空間、図３は居室空間を示している。図４から図７は、居室空間の構造を示す図であり、図４は側壁材同士の接続構造において一部を断面にして示す概略正面図、図５は側壁材同士の接続構造において一部を断面にして示す概略平面図、図６は側壁材同士の接続構造に用いられる接続金具の概略斜視図、図７は居室の床部への側壁材の接続構造を示す概略分解斜視図である。
【００２０】
囲繞空間５は、側壁部２５で仕切られる空間であって、本実施例では、下方へ開口した略矩形ボックス状に形成されている。本実施例の囲繞空間５は、側壁部２５を構成する複数の側壁部材２６と、天井部を構成する天井部材２７とを有している。
【００２１】
側壁部材２６は、略矩形板状に形成されており、複数を互いに接続して側壁部２５を形成することができる。側壁部２５の内、前後の側壁部は、前後方向へ離隔して配置され、左右の側壁部は、左右方向へ離隔して配置される。これらの前後左右の側壁部はそれぞれ、複数の側壁部材２６の側端部同士が互いに接続されて構成される。また、前方の側壁部と左方の側壁部、左方の側壁部と後方の側壁部、後方の側壁部と右方の側壁部、右方の側壁部と前方の側壁部とは、対応する側壁部材２６，２６同士が接続されて、互いに接続される。これにより、側壁部２５は、上下方向へ開口する略矩形筒状に形成される。図２に示されるように、前方の側壁部には、囲繞空間５と居室３とを互いに行き来可能とする出入口２８が設けられる。本実施例では、出入口２８は、複数の側壁部材２６の内の一つの上下長さを他の側壁部材の上下長さよりも短く形成し、その短く形成された側壁部材を上部に配置することで形成される。
【００２２】
天井部材２７は、略矩形板状に形成されており、筒状の側壁部２５の上端部に設けられる。本実施例では、二枚の天井部材２７，２７が左右方向へ離隔した状態で、側壁部２５の上端部に設けられる。これにより、囲繞空間５の天井部には、上下方向へ開口する開口部２９が形成される。なお、本実施例では、天井部材２７にハンガーパイプ３０を設けてもよい。ハンガーパイプ３０は、取付具３１を介して天井部材２７に設けられる。取付具３１は、正面視略Ｔ字形状で、上端部に天井部材２７への固定部が設けられ、下端部にハンガーパイプ３０が通される挿通穴が形成されている。複数の取付具３１が間隔をあけた状態で天井部材２７に固定されると共に、取付具３１の挿通穴にハンガーパイプ３０が通されることで、ハンガーパイプ３０が天井部材２７に吊下げられる。この際、ハンガーパイプ３０は、天井部材２７の下端部に、前後方向へ沿って配置される。
【００２３】
このようにして、囲繞空間５は、居室３内において略矩形ボックス状に組み立てられる。この際、囲繞空間５は、居室３の周囲の壁部２と間隔をあけた状態で、出入口２８が洗面室４と居室３との間の壁部１５に設けられた出入口１８と対向するようにして、居室３内に配置される。本実施例では、囲繞空間５は、居室３の奥行方向へ延出した部分において、略Ｌ字形状の階段１７によって囲まれたスペースに配置される。
【００２４】
居室空間６は、複数の側壁材３２で囲まれる空間であって、本実施例では、下方へ開口した略矩形ボックス状に形成されている。本実施例の居室空間６は、周壁部３３を構成する複数の側壁材３２と、天井部を構成する天井材３４とを有している。
【００２５】
側壁材３２は、略矩形板状に形成されており、本実施例では、前後の板材３５，３６と、前後の板材３５，３６間に設けられる中間材３７とを有している。前後の板材３５，３６は、略矩形板状に形成されており、対面した状態で前後方向へ離隔して配置される。中間材３７は、左右方向を長手方向とする縦断面略矩形状で左右方向へ沿って配置される。中間材３７と前側の板材３５とは、中間材３７の前面と板材３５の後面とが接着剤などで固定されており、中間材３７と後側の板材３６とは、中間材３７の後面と板材３６の前面とが接着剤などで固定されている。
【００２６】
この際、前後の板材３５，３６は、前側の板材３５が後側の板材３６よりも上方へ延出されている。中間材３７は、前後の板材３５，３６間において、上下方向へ互いに間隔をあけて複数配置されている。すなわち、中間材３７，３７間には、中空部３８が形成されている。ここで、最も上方に配置される中間材３７は、後側の板材３６の上面と面一とされ、これにより、側壁材３２の上端部に段部３９が形成されている。一方、最も下方に配置される中間材３７は、前後の板材３５，３６の下端よりも上方に配置され、これにより、側壁材３２の下端部には、前後の板材３５，３６を側壁とする溝部４０が下方へ開口して形成されている。
【００２７】
側壁材３２の下端部には、居室３の床部に形成された被係合部４１に着脱可能に係合される係合部４２が形成されている。本実施例では、側壁材３２は、後述する接続部４３を介して、床部に接続される。接続部４３は、前記溝部４０に差し込まれる略矩形ブロック状の本体部４４と、居室３の床部に形成された被係合部４１への係合部４２とを有している。本実施例では、係合部４２は、本体部４４から下方へ突出する丸棒状で外周面にネジ山が形成されており、被係合部４１は、係合部４２がねじ込まれるネジ穴とされる。
【００２８】
このような構成の複数の側壁材３２を互いに接続することで、居室空間６の周壁部３３が形成される。周壁部３３の内、前後の周壁部は、前後方向へ離隔して配置され、左右の周壁部は、左右方向へ離隔して配置される。これらの前後左右の周壁部はそれぞれ、複数の側壁材３２の側端部同士が互いに接続されて構成される。また、前方の周壁部と左方の周壁部、左方の周壁部と後方の周壁部、後方の周壁部と右方の周壁部、右方の周壁部と前方の周壁部とは、対応する側壁材３２，３２同士が接続されて、周壁部同士が互いに接続される。これにより、周壁部３３は、上下方向へ開口する略矩形筒状に形成される。図３に示されるように、前方の周壁部には、居室空間６と居室３とを互いに行き来可能とする出入口４５が設けられる。本実施例では、出入口４５は、複数の側壁材３２の内の一つの上下長さを他の側壁材の上下長さよりも短く形成し、その短く形成された側壁材を上部に配置することで形成される。また、右方の周壁部３３には、居室空間６内と居室３内とを連通する窓部４６が設けられる。本実施例では、窓部４６は、複数の側壁材３２の内の一つを上側部材４７と下側部材４８とから構成し、その間に隙間を設けることで形成される。
【００２９】
ここで、周壁部３３を形成する際には、まず、接続部４３の係合部４２が居室３の床部の被係合部４１にねじ込まれて、接続部４３が床部に配置される。そして、互いに隣接する側壁材３２，３２同士が接続されると共に、側壁材３２が接続部４３に接続される。本実施例では、隣接する側壁材３２，３２同士の接続は、側壁材３２に設けられる接続金具４９によりなされる。接続金具４９は、板状の支持部５０と、この支持部５０に設けられる軸部５１と、軸部５１に固定される揺動部５２とを有している。
【００３０】
支持部５０は、側面視において上方へ開口する略コ字形状に形成されており、開放両端部の左端部には、互いに前後方向へ離隔するように延出して延出部５３が形成されている。延出部５３には、左右方向へ沿う貫通穴５４が上下に離隔して形成されている。軸部５１は、丸棒状とされ、軸方向一端部にドライバーなどの工具が係合される被係合部５５が形成されている。丸棒状の軸部５１は、支持部５０の開放両端部間に架け渡すようにして設けられる。この際、軸部５１は、その軸線まわりに回転可能とされる。揺動部５２は、正面視略Ｔ字形の板状とされ、一片５６の一端部には軸部５１が通される貫通穴５７が前後方向へ沿って形成されており、他片５８は正面視略半円形状に形成されている。揺動部５２は、一片５６の貫通穴５７に軸部５１が通された状態で、一片５６が軸部５１に固定される。従って、接続金具４９は、支持部５０に保持された軸部５１をその軸線まわりに回転させることで、揺動部５２を回転させることができる。
【００３１】
このような構成の接続金具４９は、隣接する側壁材３２，３２の内の一方の側壁材３２に設けられる。一方の側壁材３２の中間材３７の側端部には、側方へ開口する凹部５９が形成されており、この凹部５９内に接続金具４９が配置される。この際、接続金具４９は、延出部５３が凹部５９の底部に接触した状態で、延出部５３の貫通穴５４を介して中間材３７にネジ６０がねじ込まれて、凹部５９内に配置される。なお、接続金具４９は、一方の側壁材３２の複数の中間材３７の内、任意の中間材３７に設けられる。隣接する側壁材３２，３２の内、他方の側壁材３２の中間材３７の側端部には、側方へ開口する凹部６１が形成されている。凹部６１の開口部には、上方へ突出して突出部６２が形成されている。
【００３２】
隣接する側壁材３２，３２同士を接続する際には、前述した接続金具４９が用いられる。具体的には、一方の側壁材３２と他方の側壁材３２とは、接続金具４９が設けられた側の側端部と凹部６１が設けられた側の側端部とが接触した状態で、軸部５１を回転させて揺動部５２を回転させ、揺動部５２の略半円形部を凹部６１内に差し込むことで接続される。この際、揺動部５２の先端部の略半円形部が凹部６１内の突出部６２に接触されることで、隣接する側壁材３２，３２同士が互いに離隔する方向へ移動することが防止される。
【００３３】
ここで、揺動部５２を回転させる際には、ドライバーなどの工具が用いられる。この工具を軸部５１の被係合部５５に係合させるために、一方の側壁材３２には貫通穴６３が形成されている。貫通穴６３は、中間材３７に形成された凹部５９と対応する箇所において、側壁材３２に前後方向へ沿って形成されている。すなわち、凹部５９は、貫通穴６３を介して外部と連通されている。従って、凹部５９内に配置された接続金具４９の軸部５１に形成された被係合部５５に、貫通穴６３を介して工具を係合させ、その状態で工具により軸部５１を回転させて、軸部５１に固定された揺動部５２を回転させることができる。
【００３４】
一方、側壁材３２を接続部４３に接続する際には、棒状のピン部材６４が用いられる。具体的には、居室３の床部に設けられた接続部４３が側壁材３２の下端部に形成された溝部４０に差し込まれた状態で、前後の板材３５，３６に前後方向へ沿って形成された貫通穴６５および接続部４３の本体部４４に前後方向へ沿って形成された貫通穴６６に、棒状のピン部材６４が差し込まれる。これにより、側壁材３２が居室３の床部に立設される。
【００３５】
このようにして、前後左右の周壁部が形成されて、筒状の周壁部３３が居室３の床部に組み立てられる。周壁部３３が組み立てられる際、前方の周壁部と左方の周壁部、左方の周壁部と後方の周壁部、後方の周壁部と右方の周壁部、右方の周壁部と前方の周壁部とは、対応する側壁材３２，３２同士が前述した接続金具４９により接続される。この場合、一方の側壁材３２の中間材３７の側端部に側方へ開口して形成された凹部５９に接続金具４９が設けられ、他方の板状の側壁材３２に板面に開口して凹部６１が形成されている。この凹部６１は、側壁材３２の中間材３７が設けられた箇所に形成されており、開口部に突出部６２が形成されている。従って、周壁部同士が接続金具４９により接続される。また、出入口４５が形成された箇所の上下長さが短い側壁材、および窓部４６が形成された箇所の上側部材４７と下側部材４８とは、接続金具４９によって隣接する側壁材３２と接続されると共に、ダボにより隣接する側壁材３２と接続される。なお、通常の側壁材３２，３２同士の接続は、接続金具４９が用いられたが、これに代えてまたはこれに加えて、ダボによりなされてもよい。
【００３６】
周壁部３３の組立後、天井部が周壁部３３に設けられる。天井部を構成する天井材３４は、略矩形板状に形成されており、筒状の周壁部３３の上端部に設けられる。具体的には、天井材３４は、周壁部３３の上端部に形成された段部３９に載せ置かれた状態で、天井材３４に上下方向へ沿って形成された貫通穴６７、および最も上側に配置された中間材３７に上方へ開口して形成された凹部６８によって形成された長穴に、棒状の係止材６９が嵌め込まれることで、周壁部３３に設けられる。
【００３７】
天井部には、上下方向へ開口する開口部７０が形成される。本実施例では、天井部は、二枚の天井材３４，３４から構成されており、両天井材３４に円弧状の切欠き部７１が形成されている。従って、両天井材３４を周壁部３３に設けた際に、それぞれの切欠き部７１が互いに対応することで、上面視円形状の開口部７０が形成される。このようにして、略矩形ボックス状の居室空間６は、居室３の床部に形成された被係合部４１に側壁材３２の係合部４２が係合されることで、居室３内に配置される。なお、接続金具４９は、側壁材３２内に設けられる複数の中間材３７の内、任意の中間材３７に設けられる。また、側壁材３２の接続部４３による床部への接続は、前後左右の周壁部の任意の位置でなされる。
【００３８】
居室空間６内には、棚板７２およびカウンター７３が設けられる。棚板７２およびカウンター７３は、板状に形成されており、たとえば、左右の周壁部に沿って配置される。この際、棚板７２およびカウンター７３は、ダボや従来公知のＬ字金具などによって周壁部に取り付けられる。また、カウンター７３は、板状の支持脚７４によっても支持される。棚板７２およびカウンター７３の長さは、特に限定されるものではないが、本実施例では、対面する周壁部間の長さと同一に形成されている。
【００３９】
本実施例では、二つの居室空間６，６が居室３内に配置される場合と、一つの居室空間６が居室３内に配置される場合とにできるように、被係合部４１が居室３の床部に形成されている。すなわち、住宅１は、居室３内に二つの居室空間６，６と囲繞空間５とが配置された間取りと、居室３内に一つの居室空間６と囲繞空間５とが配置された間取りとにできる。この際、囲繞空間５は、どちらの間取りにおいても共通の位置に配置されている。
【００４０】
居室空間６が二つの場合、一方の居室空間６は、居室３の周囲の壁部２と間隔をあけた状態で、囲繞空間５に隣接して配置される。この際、一方の居室空間６は、その出入口４５が囲繞空間５とは逆側の位置となるように配置される。他方の居室空間６は、一方の居室空間６の囲繞空間５とは逆側の位置に配置される。この際、他方の居室空間６は、一方の居室空間６と間隔をあけつつ、一方の居室空間６の出入口４５と対向しないようにずれて配置される。しかも、他方の居室空間６は、その出入口４５が、一方の居室空間６の出入口４５が開口する、一方の居室空間６と壁部２との間の間隔に開口して配置される。
【００４１】
本実施例では、前述したように囲繞空間５が居室３内に配置される。二つの居室空間６，６の内、一方の居室空間６は、住宅１の奥行方向において囲繞空間５の手前側に、囲繞空間５に隣接して配置される。この際、一方の居室空間６は、住宅１の奥行方向において階段１７の手前側であって、住宅１の間口方向他方側の壁部８との間に間隔をあけて配置されると共に、居室３と洗面室４との間の出入口１８が形成された壁部１５との間に間隔をあけて配置される。また、一方の居室空間６は、出入口４５が住宅１の奥行方向手前側へ開口して配置される。なお、窓部４６は、それぞれの居室空間６で適宜の位置に形成されている。たとえば、他方の居室空間６では、壁部２の窓に対応する位置に、窓部４６が形成されている。
【００４２】
他方の居室空間６は、住宅１の奥行方向において一方の居室空間６の手前側に配置される。この際、他方の居室空間６は、一方の居室空間６との間に間隔をあけつつ、一方の居室空間６の出入口４５と対向しないように、住宅１の間口方向他方側にずれて配置される。図示例では、他方の居室空間６は、居室３の壁部２の内の住宅１の間口方向他方側の壁部８に接触して配置されると共に、居室３の壁部２の内の住宅１の奥行方向手前側の壁部９に接触して配置される。また、他方の居室空間６は、その出入口４５が、居室３の壁部２の内の住宅１の奥行方向手前側の壁部９と一方の居室空間６との間の間隔に開口して配置される。すなわち、他方の居室空間６の出入口４５は、住宅１の間口方向一方側に開口される。
【００４３】
居室空間６が一つの場合、居室空間６は、囲繞空間５と間隔をあけて配置されると共に、居室空間６の囲繞空間５とは逆側の位置の居室３の壁部２との間に間隔をあけて配置される。本実施例では、前述したように囲繞空間５が居室３内に配置される。一つの居室空間６は、住宅１の奥行方向において囲繞空間５の手前側に、囲繞空間５との間に間隔をあけて配置される。また、居室空間６は、居室３の壁部２の内の住宅１の間口方向他方側の壁部８に接触して配置される。この際、居室空間６の出入口４５は、住宅１の間口方向一方側に開口される。しかも、居室空間６は、居室３の壁部２の内の住宅１の奥行方向手前側の壁部９との間に間隔をあけて配置される。
【００４４】
このようにして、居室３の床部には、居室空間６が二つの場合の間取りにおいて、両居室空間６，６が配置される箇所に対応する被係合部４１と、居室空間６が一つの場合の間取りにおいて、その居室空間６が配置される箇所に対応する被係合部４１とが、予め形成されている。なお、使用されていない被係合部４１であるネジ穴には、キャップがなされている。
【００４５】
前記いずれの間取りにおいても、居室空間６の側壁材３２の高さおよび囲繞空間５の側壁部材２６の高さは、居室３の床面と天井面との間の長さよりも小さく形成されている。すなわち、本実施例では、囲繞空間５および居室空間６がボックス状に形成されているので、両空間５，６の天井部の高さが居室３の床面と天井面との間の長さよりも小さく形成されている。具体的には、囲繞空間５と居室３の天井面との間には間隔が形成されていると共に、居室空間６と居室３の天井面との間には間隔が形成されている。
【００４６】
ところで、本実施例では、囲繞空間５の側壁部材２６の下端部に、居室３の床部に形成された囲繞空間用被係合部に着脱可能に係合する囲繞空間用係合部を形成してもよい。この場合、囲繞空間５は、囲繞空間用係合部が囲繞空間用被係合部に係合することで、居室３内に配置される。この構成は、典型的には、囲繞空間５の側壁部材２６を居室空間６の側壁材３２と同様に構成すればよい。すなわち、囲繞空間５の側壁部材２６は、前後の板材と、前後の板材間に配置される中間材とを有し、下端部に下方へ開口する溝部が形成されている。この構成の側壁部材２６は、居室空間６の側壁材３２に用いられた接続部４３と同様の構成の接続部を用いて、居室空間６の側壁材３２と同様にして、居室３の床部に接続される。従って、囲繞空間用被係合部と被係合部４１とが同様の構成とされると共に、囲繞空間用係合部と係合部４２とが同様の構成とされる。また、天井部材２７は、居室空間６の天井材３４と同様に、前後両端部が係止材にて側壁部に接続される。
【００４７】
本実施例の住宅１の場合、居室３の床部に、居室３内に居室空間６が二つ設けられる間取りと、居室３内に居室空間６が一つ設けられる間取りとに対応できるように、被係合部４１が形成されている。従って、たとえば、二人の子供が個室を望んだ場合には居室空間６が二つの間取りを選択することができ、子供が独立して家を出た場合や子供が小さい場合には居室空間６が一つの間取りを選択することができる。また、本実施例の住宅１の場合、上記両間取りにおいて囲繞空間５が共通位置に配置されているので、一方の間取りから他方の間取りへ変更する際の作業時の負担を軽減することができる。
【００４８】
また、本実施例の住宅１の場合、階段１７で囲まれて狭くなったスペースに囲繞空間５が配置されるので、そのスペースを無駄にすることなく、有効に利用することができる。また、本実施例の住宅１の場合、囲繞空間５は、その出入口２８と洗面室４と居室３とを行き来する出入口１８とが対向するように、居室３内に配置される。従って、洗面室４内の洗濯乾燥機で洗濯および乾燥された衣服類を囲繞空間５に収納する際の動線を短くすることができ、家事の負担を軽減することができる。なお、囲繞空間５が洗面室４および浴室２１からなる空間と対応して配置される場合には、囲繞空間５は、介護や介助が必要な人の利用スペースとして活用することができる。また、水回り４がキッチンの場合には、囲繞空間５をパントリーや食器類の収納部として利用する等の多目的な活用が可能となる。
【００４９】
また、本実施例の住宅１の場合、居室空間６が二つの間取りの場合において、両居室空間６，６の間の間隔および一方の居室空間６と壁部８との間の間隔に、上面視略Ｌ字形状のスペース７５を形成することができる。従って、たとえば、略Ｌ字形状のスペース７５に沿ってハンガーラックを設置して、略Ｌ字形状のスペース７５を収納部として利用することができる。このスペース７５は、居室３内にいる人からは見え難い箇所に形成されているので、収納部に適している。また、本実施例の住宅１の場合、居室空間６が二つの間取りにおいて、両居室空間６，６のそれぞれの出入口４５が開口する居室内スペース７６が共通している。従って、各居室空間６と居室内スペース７６とを連続した一体的な空間とすることができ、その一体的な空間を形成する際の居室内スペース７６を共通化することができる。
【００５０】
また、本実施例の住宅１の場合、居室空間６が一つの間取りの場合において、居室空間６と壁部９との間に形成されたスペースに机７７を設置することで、家族の共有スペースとすることができる。また、本実施例の住宅１の場合、囲繞空間５が組立可能な構成であるので、囲繞空間５を容易に設置することができる。また、本実施例の住宅１の場合、囲繞空間５を構成する部材と居室空間６を構成する部材とが同様の構成とされるので、囲繞空間５および居室空間６にかかるコストの低減を図ることができる。さらに、本実施例の住宅１の場合、囲繞空間５および居室空間６の天井部が居室３の天井部よりも低く形成されているので、居室３の空間の広さを失わずに、居室空間６および囲繞空間５を設置して個別の空間を形成することができる。
【００５１】
なお、本発明の住宅は、前記実施例の構成に限らず、本発明の思想の範囲を逸脱しない範囲で適宜変更することができる。図８は、他の実施形態の一例を示す間取り図である。
【００５２】
住宅１の一階は、台所、食堂および居間からなる上面視略矩形状のＬＤＫ７８を有している。住宅１の奥行方向においてＬＤＫ７８の奥側の外壁および手前側の外壁にはそれぞれ、窓７９，８０が設けられる。ＬＤＫ７８に隣接して、トイレ８１が配置される。トイレ８１は、上面視略四角形状に形成されており、住宅１の間口方向においてＬＤＫ７８の他方側に配置される。トイレ８１およびＬＤＫ７８に隣接して、上面視略四角形状の空間８２が配置される。この空間８２は、住宅１の奥行方向においてトイレ８１の手前側に隣接して配置されると共に、住宅１の間口方向においてＬＤＫ７８の他方側に隣接して配置されており、住宅１の奥行方向手前側が開口した空間とされる。空間８２とトイレ８１との間の壁部には、空間８２とトイレ８１とを行き来可能とする出入口８３が設けられており、その出入口８３には開閉可能に扉８４が設けられる。
【００５３】
本実施例では、ＬＤＫ７８に隣接して、上面視略長方形状の玄関部８５が配置される。玄関部８５は、玄関扉８６の屋内側に配置される空間であって、ＬＤＫ７８と連続して配置される。上面視略長方形状の玄関部８５は、住宅１の奥行方向においてＬＤＫ７８の手前側であって、住宅１の間口方向においてＬＤＫ７８の他方側に配置される。この際、玄関部８５は、その長手方向が住宅１の間口方向へ沿って配置される。住宅１の間口方向において玄関部８５の他方側の外壁には、玄関扉８６が設けられる。住宅１の奥行方向において玄関部８５の手前側の外壁には、窓８７，８７が設けられる。
【００５４】
玄関部８５と前述した空間８２との間には、靴などが収納される上面視略四角形状の玄関収納空間８８が配置される。この際、玄関収納空間８８は、空間８２との間にスペース８９をあけて配置される。スペース８９には、前述した階段１７が接続される。住宅１の間口方向においてスペース８９の他方側の外壁には、窓９０が設けられる。また、玄関収納空間８８は、住宅１の間口方向他方側の外壁との間にスペース９１をあけて配置される。このスペース９１は、玄関収納空間８８と空間８２との間のスペース８９と連続しており、両スペース８９，９１によって玄関部８５とＬＤＫ７８とを接続する上面視略Ｌ字形状の通路が形成される。
【００５５】
本実施例では、ＬＤＫ７８に、前述した囲繞空間５および居室空間６と同様の構成の空間９２が配置される。すなわち、空間９２を構成する部材は、ＬＤＫ７８の床部に対して着脱可能とされる。空間９２の位置は、特に限定されるものではなく、たとえば、玄関収納空間８８に隣接して配置される。この際、ＬＤＫ７８の空間９２が配置される箇所の床部に畳を敷いておくことで、ＬＤＫ７８に間仕切られた和室を形成することができる。ＬＤＫ７８に配置される空間９２は、前述したように和室に限定されるものではなく、たとえば、書斎または家事室などの個室として使用することができる空間であってもよい。また、本実施例では、玄関収納空間８８を、前述した囲繞空間５および居室空間６と同様の構成の空間としてもよい。すなわち、玄関収納空間８８を構成する部材は、住宅１の床部に着脱可能とされる。この場合、玄関収納空間８８の出入口９３には、開閉可能に扉９４が設けられる。なお、囲繞空間５の出入口２８および居室空間６の出入口４５には、開閉可能に扉を設けてもよい。
【産業上の利用可能性】
【００５６】
本発明の住宅は、家族構成に対応した間取りを選択することができる住宅に好適に適用される。
【符号の説明】
【００５７】
１  住宅
２  壁部
３  居室
４  洗面室（水回り）
５  囲繞空間
６  居室空間
１８  出入口
２５  側壁部
２６  側壁部材
２８  出入口
３２  側壁材
４１  被係合部
４２  係合部
４５  出入口
【図１】
2020122363.tif 000003
【図２】
2020122363.tif 000004
【図３】
2020122363.tif 000005
【図４】
2020122363.tif 000006
【図５】
2020122363.tif 000007
【図６】
2020122363.tif 000008
【図７】
2020122363.tif 000009
【図８】
2020122363.tif 000010